(57)【特許請求の範囲】
【請求項１】
撮像光学系に備えられた絞り羽根兼用シャッターと、
撮影視野内の外光の輝度を測定する測光部と、
前記撮影視野内の被写体までの距離を測定する測距部と、
前記絞り羽根兼用シャッターの所定のシャッター開放期間において最適な露光が得られる外光の輝度を基準外光輝度とし且つこの基準外光輝度が得られる状態での露光量を標準露光量とすると共に、この基準外光輝度以上の輝度の外光下で撮影する場合には、外光のみによって前記標準露光量が得られるように前記絞り羽根兼用シャッターの開閉を制御する自動露光機構と、
前記基準外光輝度を切替輝度、又はその基準外光輝度よりも所定値だけ低い値若しくは所定値だけ高い値の所定輝度を切替輝度とすると共に、
前記測光部により測定される前記撮影視野内の外光の輝度が前記切替輝度より低い場合には、所定ストロボ光により付加する露光量が前記標準露光量とほぼ等しくなるように、前記絞り羽根兼用シャッターの開閉動作中において、前記測距部で測定された前記距離に対応したタイミングで前記ストロボ光を発光、又は前記測距部で測定された前記距離に対応した発光量で前記ストロボ光を発光させ、
前記撮影視野内の外光の輝度が前記切替輝度以上の場合には、前記ストロボ光により付加する露光量が前記標準露光量以下であって外光と合計により前記標準露光量を超える露光量とされ且つ前記撮影視野内の輝度が高くなるのに従って段階的に減少するように、前記絞り羽根兼用シャッターの開閉動作中において、前記測距部で測定された前記距離に対応したタイミングで前記ストロボ光を発光、又は前記測距部で測定された前記距離に対応した発光量で前記ストロボ光を発光させるストロボ光制御部と、
を具備することを特徴とするストロボ内蔵カメラ。
【請求項２】
前記ストロボ光制御部は、
前記測距部で測定される前記被写体までの距離が短くなるに従って、前記段階的に減少させるストロボ光による前記露光量の減少量を段階的に増加させることを特徴とする請求項１記載のストロボ内蔵カメラ。
【発明の詳細な説明】
【０００１】
【発明の属する技術分野】
本発明は、ストロボを発光させることにより適正な露光量で撮影することができるストロボ内蔵カメラに関する。
【０００２】
【従来の技術】
人物等を撮影する場合、逆光時には顔が暗くなったり、逆光とまではいかなくても、例えば太陽が真上にあるような場合には、顔に影ができてしまい、写真としての雰囲気が損なわれるという問題がある。
【０００３】
そこで、従来のカメラにあっては、このような被写体の影を消すために、外光輝度の高い日中であっても常にストロボを発光させることにより、外光による露光にストロボ光を付加させる常時発光方式を採用するカメラが知られている。
【０００４】
したがって、所謂露光オーバーの状態で撮影することになるが、露光オーバーに対してラチチュードの広いネガカラーフィルムを使用する場合には、この常時発光方式のカメラが好まれている。
【０００５】
このような常時発光方式を用いた従来のストロボ内蔵カメラの具体例として、特開昭５６−１４９０２２号公報のものが知られている。この文献に記載された従来のストロボ内蔵カメラは、被写体周囲の外光（周囲光という）の光量を測定する感光素子を備え、この感光素子で測定した光量に基づいてストロボの発光量を制御している。
【０００６】
より具体的には、図１０に示すように、適正露光に対して外光が寄与する比率（以下、露光寄与率）が０％の場合、換言すれば、外光の光量が０％のときには、ストロボ光だけで十分にフィルムを露光できるような露光寄与率１００％の光量のストロボ光を照射させるように制御している。
【０００７】
また、外光の光量が増加してその露光寄与率が０％〜７５％の間にあるときには、ストロボ光の光量を露光寄与率１００％〜３５％の範囲内で漸次減少させることにより、外光及びストロボ光の合計の露光寄与率がほぼ１００％になるように制御している。
【０００８】
更にまた、外光の光量による露光寄与率が７５％を超える場合には、カメラ内の絞りを自動調整して外光の露光寄与率を強制的に７５％に保持すると同時に、ストロボ光の光量も一定になるよう自動調整することにより、そのストロボ光の露光寄与率を３５％に保持している。即ち、外光の光量による露光寄与率が７５％を超える場合には、外光の露光寄与率とストロボ光の露光寄与率の合計がほぼ１００％となるように制御している。
【０００９】
したがって、この従来のストロボ内蔵カメラにあっては、外光の露光寄与率とストロボ光の露光寄与率の合計がほぼ１００％の範囲となるように制御している。
【００１０】
【発明が解決しようとする課題】
しかしながら、上記従来のストロボ内蔵カメラは、外光の輝度が高い場合であっても、ストロボ光の光量を露光寄与率３５％に保持するので、このストロボ光によって被写体面の光量が増加するのに対して、相対的に背景の光量比が下がってしまう場合があり、背景が暗く感じられて写真としての雰囲気が損なわれてしまうという問題があった。
【００１１】
また、被写体までの距離とは無関係に、上記ストロボ光の露光寄与率を３５％に保持するので、接写の様な近距離の撮影を行う場合には、背景に対する被写体の占める面積が大きくなることに起因して、ストロボ光による被写体面の光量が大幅に増加することとなり、被写体が白く浮かび上がった写真となるという問題があった。
【００１２】
本発明は、このような従来技術の課題に鑑みて成されたものであり、適正な露光量で被写体を撮影することができるようにストロボ光を自動制御するストロボ内蔵カメラを提供することを目的とする。
【００１３】
【課題を解決するための手段】
このような目的を達成するために、本発明のストロボ内蔵カメラは、撮像光学系に備えられた絞り羽根兼用シャッターと、撮影視野内の外光の輝度を測定する測光部と、前記撮影視野内の被写体までの距離を測定する測距部と、前記絞り羽根兼用シャッターの所定のシャッター開放期間において最適な露光が得られる外光の輝度を基準外光輝度とし且つこの基準外光輝度が得られる状態での露光量を標準露光量とすると共に、この基準外光輝度以上の輝度の外光下で撮影する場合には、外光のみによって前記標準露光量が得られるように前記絞り羽根兼用シャッターの開閉を制御する自動露光機構とを備え、
更に、前記基準外光輝度を切替輝度、又はその基準外光輝度よりも所定値だけ低い値若しくは所定値だけ高い値の所定輝度を切替輝度とすると共に、前記測光部により測定される前記撮影視野内の外光の輝度が前記切替輝度より低い場合には、所定ストロボ光により付加する露光量が前記標準露光量とほぼ等しくなるように、前記絞り羽根兼用シャッターの開閉動作中において、前記測距部で測定された前記距離に対応したタイミングで前記ストロボ光を発光、又は前記測距部で測定された前記距離に対応した発光量で前記ストロボ光を発光させ、前記撮影視野内の外光の輝度が前記切替輝度以上の場合には、前記ストロボ光により付加する露光量が前記標準露光量以下であって外光と合計により前記標準露光量を超える露光量とされ且つ前記撮影視野内の輝度が高くなるのに従って段階的に減少するように、前記絞り羽根兼用シャッターの開閉動作中において、前記測距部で測定された前記距離に対応したタイミングで前記ストロボ光を発光、又は前記測距部で測定された前記距離に対応した発光量で前記ストロボ光を発光させるストロボ光制御部とを具備する構成とした。
以    上
【００１４】
更にまた、前記ストロボ光制御部は、前記測距部で測定される前記被写体までの距離が短くなるに従って、前記段階的に減少させるストロボ光による前記露光量の減少量を段階的に増加させる構成とした。
【００１５】
【作用】
本発明のストロボ内蔵カメラによれば、測光部で測定した撮影視野内の輝度が所定の切替輝度よりも低い場合にあっては、ストロボ光制御部によって、ストロボ光による露光量が撮影に最適な露光量（即ち、標準露光量）になるように制御する。更に、このストロボ光による露光量の制御を、測距部で測定した被写体までの距離に応じて行うことにより、被写体までの距離が短い場合であっても露光過多（過度の露光オーバー）を防止し、一方、被写体との距離が離れている場合であっても、露光不足（過度の露光アンダー）を防止する。
【００１６】
即ち、測光部で測定した輝度が切替輝度より低い場合、換言すれば、外光だけでは十分な露光量が得られない場合には、ストロボ光による標準露光量を外光の光量に付加することで、被写体を適正な露光量で撮影することを可能にする。
【００１７】
更に、測光部で測定した撮影視野内の輝度が切替輝度以上の場合においては、ストロボ光による露光量を、標準露光量以下であって且つ撮影視野内の輝度が高くなるに従って段階的に減少させるように制御する。そして、この場合の制御においても、測距部で測定した被写体までの距離に応じて行う。
【００１８】
即ち、撮影視野内の輝度が高くなるに従って、ストロボ光による露光量が段階的に減少するように制御することにより、撮影視野内の輝度が高い場合であっても、被写体に対する背景の光量比が相対的に下がるという問題を解消する。この結果、高輝度下での撮影を行っても、背景が暗くなって写真としての雰囲気が損なわれるといった従来技術の問題点を解消する。
【００１９】
つまり、従来技術の制御では、外光だけで十分な露光量が得られる場合に、ストロボ光により付加する光量を一定に保持することとしていたために、被写体に対する背景の光量の比率が相対的に低下して、背景が暗く感じられる写真となってしまうという問題を招来していたが、本発明に係る制御によれば、撮影視野内の輝度が高くなるに従ってストロボ光により付加する露光量を段階的に減少させることから、たとえ撮影視野内の輝度が高い場合でも、被写体に対する背景の光量比が相対的に低下するという問題を解消し、背景が暗くなって写真としての雰囲気が損なわれるという問題を解消する。
【００２０】
更にまた、従来の技術によれば、接写等の近距離での被写体撮影では、背景に比べて被写体の占める面積が大きくなるので、被写体面と背景の光量のバランスがくずれ、被写体が白く浮かび上がった写真となり易いという問題があったが、本発明では、上述のように、近距離での撮影の際に撮影視野内の輝度が高い場合には、ストロボ光の照射による露光量が非常に少なくなるように制御されるので、被写体面と背景の光量のバランスが保たれ、被写体が白く浮かび上がった写真となることはない。
【００２１】
【発明の実施の形態】
以下、本発明の実施の形態を図１〜図９と共に説明する。図１は、実施の形態に係るストロボ内蔵カメラの外観を示す斜視図である。同図より、このストロボ内蔵カメラは、略直方体形状のカメラボディ１０の上端にシャッターボタン１１が配設され、カメラボディ１０前面の中央部にレンズ１２の組み込まれた鏡胴１３が取り付けられている。カメラボディ１０前面の上部には図の左から投光器１４、ファインダ１５、受光器１６、及びストロボ１７が配設されている。
【００２２】
ここで、投光器１４及び受光器１６は、例えば三角測量の原理に基づいて被写体までの距離を測定する測距部を構成している。
【００２３】
また、カメラボディ１０の前面における鏡胴１３の右脇には、撮影視野内の外光輝度測定用の測光部１８が組み込まれている。測光部１８は、カメラボディ１０の表面に形成された入射窓１８ａと、この入射窓１８ａの内側に配置されたレンズ１８ｂと、レンズ１８ｂの結像位置近傍に受光面が配された受光素子１８ｃとを備えている。
【００２４】
受光素子１８ｃの受光面は、レンズ１８ｂの結像位置からずらして配置されているので、完全な被写体像が受光素子１８ｃの受光面に結像されることはなく、被写体を含む撮影視野全体の平均外光光量が受光素子１８ｃで検出される。
【００２５】
更に、カメラボディ１０内部のレンズ１２の光軸上に、フィルムに必要な露光量を与える絞り羽根兼用シャッター１９が組み込まれている。
【００２６】
ストロボ１７は、シャッター１９の開口タイミングに連動して自動的にストロボ発光を行うように制御される。より具体的には、シャッター１９の開口タイミングに対してストロボ１７の発光タイミングを時間的に微妙にずらすことにより、被写体面での露光量の調整を行っている。
【００２７】
この調整アルゴリズムを図２のタイムチャートを参照して説明する。このタイムチャートは、シャッター１９が始動してから、どのタイミングでストロボ１７を発光すると、どの程度の露光量が得られるかを示したものである。
【００２８】
同図より、シャッター１９が始動して時間ｔ1 経過したタイミングでストロボ光を照射した場合は、未だシャッター１９の開口面積が小さく、フィルムを露光する光束も小さくなる。このため、露光量は少なくなる。これに対して、シャッター１９が始動して時間ｔ2 経過したタイミングでストロボ光を照射した場合は、シャッター１９の開口面積が最大になっているので、フィルムを露光する光束が大きくなる。このため、時間ｔ2 における露光量は時間ｔ1 における露光量に比べてほぼ２倍となる。このように、シャッター１９の開口タイミングに対して、ストロボ１７の発光タイミングの時間的位相をずらすことにより、ストロボ１７の発光量を一定にしたままで、ストロボ１７による露光量を任意に調整することができる。
【００２９】
更に、ストロボ１７の発光タイミングを制御するためのストロボ光制御部の具体的な構成を図３のブロック図に示す。このストロボ光制御部は、投光器１４及び受光器１６で測定される被写体までの距離と、測光部１８で測定される撮影視野内の外光輝度に基づいて、撮影に最適な露光を得るためのストロボ光の発光タイミングを制御する。そして、このストロボ光制御部は、ＣＰＵ２０がＲＯＭ２１に書き込まれた制御プログラム２１ａを実行する、所謂フログラム制御によって実現されている。
【００３０】
ＣＰＵ２０には、シャッターボタン１１から半押し信号と全押し信号が与えられる。シャッターボタン１１から半押し信号を受けたＣＰＵ２０は、投光器１４に対して被写体までの距離を測定するための制御信号を与え、測光部１８に対して撮影視野内の外光輝度を測定するための制御信号を与える。これらの制御信号によって、投光器１４（及び受光器１６）と測光部１８が測距・測光を行い、これらの測定結果をＣＰＵ２０に与える。
【００３１】
また、シャッターボタン１１から全押し信号を受けたＣＰＵ２０は、ストロボ１７に対してストロボ発光を行うための制御信号を与え、シャッター１９に対してシャッター開閉を行うための制御信号を与える。
【００３２】
次に、制御プログラム２１ａに基づいてＣＰＵ２０が行う発光タイミング制御の処理の流れを図４のフローチャートを用いて説明する。
【００３３】
まず、電源スイッチが投入されると、ＣＰＵ２０に内蔵されたメモリのクリアやＩ／Ｏポートの設定などの初期処理が行われる（ステップ１００）。そして、いずれかのスイッチが起動されるまで、処理を待機する（ステップ１０２）。スイッチには、シャッターボタン１１以外にセルフタイマースイッチやズームスイッチなどがある。いずれかのスイッチが起動された場合に（ステップ１０４）、どのスイッチが起動されたか検出し（ステップ１０６）、シャッターボタン１１以外のスイッチの場合はスイッチごとの処理を行う（ステップ１０８）。
【００３４】
ステップ１０６でシャッタースイッチ１１が半押しされたことを検出すると、電源電池の残量のチェックが行われる（ステップ１１０）。次に、ＣＰＵ２０からの信号が測光部１８に与えられ、測光部１８では撮影視野内の外光輝度の測定を行う（ステップ１１２）。さらに、ＣＰＵ２０からの信号が投光器１４に与えられ、投光器１４と受光器１６で被写体までの距離の測定を行う（ステップ１１４）。この測定は、例えば三角測量の原理に基づいて行われる。そして、ステップ１１２で求めた外光輝度のアペックス値（ＢＶ）とフィルム感度のアペックス値（ＳＶ）を次式▲１▼に代入して、シャッター１９の制御値である露光値ＥＶを算出する（ステップ１１６）。
【００３５】
ＥＶ＝ＳＶ＋ＢＶ  …▲１▼
このＥＶ値の算出によって撮影に必要な露光量を得るための、シャッター速度と絞り値の組み合わせが決定し、後述するステップ１２６の撮影時点において、これらのシャッター速度及び絞り値に基づいて絞り羽根兼用シャッターの開閉駆動が制御される。
【００３６】
次に、ストロボ１７を発光させるタイミングを決めるためのＡＶ値を算出する（ステップ１１８）。ＡＶ値はストロボ１７を発光させた際のシャッター１９の開口面積に対応する値である。つまり、ＡＶ値が求められれば、シャッター１９が始動して徐々に増加する開口面積がどの面積になったときにシャッター１９を発光させればよいか判るので、ＡＶ値からストロボ１７の発光タイミングを求めることができる。ＡＶ値算出の演算は、まず、ステップ１０７で求めた被写体までの距離（Ｄ）を次式▲２▼に、ＩＳＯ１００におけるガイドナンバー（ＧＮｏ．）を式▲３▼にそれぞれ代入して、ＤＶ値、ＧＶ値を求める。
【００３７】
ＤＶ＝−２ｌｏｇ2 Ｄ      …▲２▼
ＧＶ＝２ｌｏｇ2 ＧＮｏ．  …▲３▼
次に、補正値であるＯＦＳ値をＲＯＭ２１に書き込まれた補正テーブル２１ｂから求める。補正テーブル２１ｂは図５の例に示すように、撮影視野内の外光輝度と被写体までの距離とをパラメータとしたテーブルである。この例では、撮影視野内の外光輝度を（０〜Ｂ１、Ｂ１〜Ｂ２、Ｂ２〜Ｂ３、Ｂ３〜）の４段階に分け、被写体までの距離を（至近〜Ｄ１、Ｄ１〜Ｄ２、Ｄ２〜Ｄ３、Ｄ３〜）の４段階に分けている（但し、Ｂ１＜Ｂ２＜Ｂ３、Ｄ１＜Ｄ２＜Ｄ３）。尚、この実施の形態では、至近の距離を０．３５ｍ、距離Ｄ１を１．３ｍ、距離Ｄ２を３．０ｍ、距離Ｄ３を８．９ｍとしている。
【００３８】
そして、ステップ１１２で測定した撮影視野内の外光輝度と、ステップ１１４で測定した被写体までの距離とからＯＦＳ値を求めることができる。例えば、距離がＤ１とＤ２の間で、輝度がＢ２とＢ３の間の場合は、ＯＦＳ＝１／４となる。また、距離がＤ３以上で、輝度がＢ１とＢ２との間の場合は、ＯＦＳ＝１となる。このＯＦＳ値を次式▲４▼に代入することにより、ＦＬ値が得られる。
【００３９】
ＦＬ＝ｌｏｇ2 ＯＦＳ  …▲４▼
このようにして得られたＤＶ値、ＧＶ値、ＦＬ値とフィルム感度（ＳＶ）を次式▲５▼に代入することにより、ＡＶ値が得られる（ステップ１１８）。
【００４０】
ＡＶ＝ＧＶ＋ＳＶ＋ＤＶ−ＦＬ−５  …▲５▼
次に、シャッターボタン１１が半押しの状態からさらに押されて、全押しの状態になるまで処理を待機し（ステップ１２０，１２２）、全押しされずにシャッターボタン１１から指が離れて元に戻った場合は、ステップ１０２の処理まで処理を戻す。また、シャッターボタン１１が全押しされた場合は、前記鏡胴１３等を含む撮影光学系を合焦状態に設定した後（ステップ１２４）、シャッター１９を開閉して写真撮影を行う。
【００４１】
シャッター１９の開閉制御は、ステップ１１６で算出したＥＶ値に基づいて決定されたシャッター速度と絞り値に基づいて行われる。そして、シャッター１９の開口面積がステップ１１８で算出したＡＶ値となったタイミングで、ストロボ１７を発光する（ステップ１２６）。このストロボ１７の発光により、撮影に十分な露光が得られる。
【００４２】
シャッター１９が閉じた後に、前記合焦状態を設定したレンズを初期位置へ移動させて待機させ（ステップ１２８）、更にフィルムを給送し（ステップ１３０）、次にストロボ１７の充電を行う（ステップ１３２）。そして、シャッターボタン１１が半押し状態の間、処理を待機し（ステップ１３４）、シャッターボタン１１から指が離れて、シャッターボタン１１が元に戻った後に、処理をステップ１０２に戻す。
【００４３】
本実施の形態の特徴は、ステップ１１８でＡＶ値を算出する際に、補正テーブル２１ｂに基づいて、ストロボ１７による露光量を調整している点にある。
【００４４】
図５より、補正テーブル２１ｂは被写体までの距離と撮影視野内の外光輝度をそれぞれ４段階に分け、ストロボ１７による露光量の補正値であるＯＦＳ値を各段階ごとに細かく割り付けている。基本的には、外光輝度が低いＢ１以下の場合は、外光輝度だけでは露光量が不足するので、ストロボ１７による露光量が減少しない補正値ＯＦＳ＝１（ＦＬ＝０ＥＶ）が割り付けられている。そして、外光輝度がＢ１以上の場合は、ストロボ１７による露光量を減少させる補正値ＯＦＳ＝１／２〜１／８（ＦＬ＝−１ＥＶ〜−３ＥＶ）が割り付けられている。このときの減少量は、距離が短い場合に大きくなるよう調整されている。
【００４５】
この補正テーブル２１ｂによって補正されたストロボ１７による露光量と、撮影視野内の外光による露光量との関係を、図６〜図９のグラフを用いて説明する。これらのグラフは、フィルム感度がＩＳＯ１００（ＳＶ＝５）の場合についてのものであり、補正テーブル２１ｂでの各距離（至近〜Ｄ１、Ｄ１〜Ｄ２、Ｄ２〜Ｄ３、Ｄ３〜）に対応している。また、各図の横軸は外光輝度（アペックス値）を示し、縦軸は、絞り羽根兼用シャッター１９の所定の開放期間において最適な露光量が得られる外光輝度を基準外光輝度とすると共に、この基準外光輝度が得られる状態での露光量を標準露光量とし、この標準露光量（１００％）に対する外光とフラッシュ光が夫々寄与する夫々の光量比率（露光寄与量という）を示す。
【００４６】
更に、外光輝度Ｂ１は、上記の基準外光輝度と等しい値に設定されたり、又は、その基準外光輝度よりも所定の輝度だけ低い値、若しくはその基準外光輝度よりも所定の輝度だけ高い値に設定され、切替輝度という。
【００４７】
まず、図６に基づいて、被写体までの距離がＤ１以下でのストロボ１７による露光量と外光による露光量との関係を説明する。同図のグラフより、外光輝度がＢＶ１以下の場合は、シャッター１９を開いている時間が手ブレ防止限界となり一定であるため、外光だけでは撮影に必要な１００％の露光が得られない。このため、外光による露光量は、外光輝度がＢＶ１になるまで増加し続ける。そして、外光輝度がＢＶ１以上になると、シャッター１９が制御され、外光による露光量が１００％を維持するよう調整される。このため、外光による露光量は、外光輝度がＢＶ１以上では一定となる。
【００４８】
これに対して、ストロボ１７による露光量は、外光輝度がＢ１以下の場合には、撮影に必要な１００％の露光量であり、外光輝度がＢ１、Ｂ２、Ｂ３と増加すると、それぞれ１／２ずつ減少している。これは、被写体までの距離がＤ１未満の場合は、０〜Ｂ１、Ｂ１〜Ｂ２、Ｂ２〜Ｂ３、Ｂ３〜の外光輝度に対して、それぞれＯＦＳ＝１（ＦＬ＝０ＥＶ）、ＯＦＳ＝１／２（ＦＬ＝−１ＥＶ）、ＯＦＳ＝１／４（ＦＬ＝−２ＥＶ）、ＯＦＳ＝１／８（ＦＬ＝−３ＥＶ）が、補正テーブル２１ｂに割り付けられているからである。
【００４９】
このように、被写体までの距離がＤ１以下と短い場合は、外光輝度が高くなるに従って、ストロボ１７による露光量が段階的に少なくなっている。もし、外光輝度が高くなった場合に、ストロボ１７による露光量が一定であると、被写体に対する背景の光量の比率が下がり、背景が暗く感じられる写真が撮影されてしまう。本実施例では、外光輝度が高くなるに従って、ストロボ１７による露光量が段階的に少なくなっているので、外光輝度が高い場合でも、被写体に対する背景の光量比が下がることはない。このため、高輝度下においても背景が暗くならない写真が撮影され、写真としての雰囲気が損なわれることがない。なお、後述するように、被写体までの距離がＤ１以上の場合でも、外光輝度が高くなるに従って、ストロボ１７による露光量が段階的に少なくなるよう調整されているので、被写体までの距離が長くなっても同様の効果が得られる。
【００５０】
また、被写体までの距離がＤ１以下と短い場合は、外光輝度がＢ３以上でのストロボ１７による露光量は極めて少なくなっている。近距離の被写体の撮影では、背景に比べて被写体の占める面積が大きくなるので、被写体面と背景の光量のバランスがくずれ、被写体が白く浮かび上がった写真となり易い。本実施例では、近距離で且つ外光輝度が高い場合に、ストロボ光の照射による露光量が非常に少なくなるように制御されているので、被写体面と背景の光量のバランスが保たれ、被写体が白く浮かび上がった写真となることはない。
【００５１】
次に、図７に基づいて、被写体までの距離がＤ１とＤ２の間でのストロボ１７による露光量と外光による露光量との関係を説明する。同図のグラフより、外光による露光量は図６のグラフと同じである。これに対して、ストロボ１７による露光量は、外光輝度がＢ１以下の場合には、撮影に必要な１００％の露光量であり、外光輝度がＢ１、Ｂ２と増加すると、それぞれ１／２ずつ減少している。図６のグラフと異なるのは、外光輝度がＢ３になっても、ストロボ１７による露光量が１／２に減少していない点である。このグラフでは、被写体までの距離がＤ１以上と長くなっているので、外光輝度がＢ３以上と高くなっても、上述したような被写体面と背景の光量のバランスが崩れるといった問題が生じることはない。このため、外光輝度がＢ３のときにストロボ１７による露光量を１／２に減少するといった細かい処理は行っていないのである。
【００５２】
次に、図８に基づいて、被写体までの距離がＤ２とＤ３の間でのストロボ１７による露光量と外光による露光量との関係を説明する。同図のグラフが図７のグラフが異なるのは、外光輝度がＢ１になっても、ストロボ１７による露光量が１／２に減少していない点である。このため、外光輝度がＢ１のストロボ１７による露光量は、図７のグラフに比べて２倍となる。しかし、被写体までの距離がＤ２以上と、図７のグラフに比べてさらに長くなっているので、上述したような被写体面と背景の光量のバランスが崩れるといった問題が生じることはない。
【００５３】
次に、図９に基づいて、被写体までの距離がＤ３以上でのストロボ１７による露光量と外光による露光量との関係を説明する。同図のグラフでは、外光輝度がＢ２になるまで、ストロボ１７による露光量を１００％の露光量とし、Ｂ２以上の外光輝度になるとストロボ１７の発光を止めるよう制御している。このように、Ｂ２以上の外光輝度でストロボ発光を止めるのは、被写体までの距離がＤ３以上と長い場合は、ストロボ光が届き難く、外光輝度がＢ２以上と高い場合は、ストロボ１７の発光を止めても、写真撮影にほとんど影響しないためである。
【００５４】
以上、フィルム感度ＩＳＯ１００の場合について述べたが、他の感度についてもＢＶ値をスライドさせることにより、同様の効果が得られる。
【００５５】
なお、本発明は以上に述べた実施の形態に限定されることなく、種々の変形が可能である。例えば、本実施の形態では、図２で示したように、ストロボ１５の発光タイミングをシャッタータイミングと微妙にずらす（時間的に位相をずらす）ことによって露光量を調整しているが、ストロボ１５の発光タイミングを一定にして、ストロボ１５の発光量自体を可変制御することにより露光量を調整していもよい。
【００５６】
また、被写体までの距離の測定は、投光器１４と受光器１６を用いたアクティブ方式で行っているが、パッシブ方式を用いてもよい。
【００５７】
【発明の効果】
以上詳細に説明したように、本発明のストロボ内蔵カメラは、撮影視野内の輝度を測定する測光部と、被写体までの距離を測定する測距部と、測光部で測定した撮影視野内の輝度が切替輝度より低い場合は、ストロボ光による露光量が標準露光量になるようにストロボ光を制御し、撮影視野内の輝度が切替輝度以上の場合は、撮影視野内の輝度が高くなるに従って露光量が段階的に減少するようにストロボ光を制御するストロボ光制御部とを備えている。
【００５８】
このように、撮影視野内の輝度が高くなるに従ってストロボ光による露光量が段階的に減少するように制御されているので、撮影視野内の輝度が高い場合でも、被写体に対する背景の光量比が下がることはない。このため、高輝度下においても背景が被写体に比較して暗くならない写真が撮影され、写真としての雰囲気が損なわれることがない。
【００５９】
また、近距離で且つ撮影視野内の輝度が高い場合に、ストロボ光の照射による露光量が非常に少なくなるように制御されているので、被写体面と背景の光量のバランスが保たれ、被写体が白く浮かび上がった写真となることはない。
【図面の簡単な説明】
【図１】実施の形態のストロボ内蔵カメラの外観を示す斜視図である。
【図２】シャッターの開口タイミングとストロボの発光タイミングの関係を示すタイムチャートである。
【図３】ストロボ光の発光タイミング制御を行うための具体的な構成を示すブロック図である。
【図４】発光タイミング制御の処理の流れを示すフローチャートである。
【図５】補正テーブルを示す図である。
【図６】被写体までの距離がＤ１以下でのストロボによる露光量と撮影視野内の外光による露光量との関係を示す図である。
【図７】被写体までの距離がＤ１〜Ｄ２でのストロボによる露光量と撮影視野内の外光による露光量との関係を示す図である。
【図８】被写体までの距離がＤ２〜Ｄ３でのストロボによる露光量と撮影視野内の外光による露光量との関係を示す図である。
【図９】被写体までの距離がＤ３以上でのストロボによる露光量と撮影視野内の外光による露光量との関係を示す図である。
【図１０】従来のストロボ内蔵カメラでの、外光による露光量とストロボによる露光量との関係を示す図である。
【符号の説明】
１４…投光器（測距部）、１６…受光器（測距部）、１８…測光部、２０…ＣＰＵ（ストロボ光制御部）、２１ａ…制御プログラム（ストロボ光制御部）、２１ｂ…補正テーブル（ストロボ光制御部）。
代理人弁理士  長谷川  芳樹
【図１】
0003642613.tif 000002
【図２】
0003642613.tif 000003
【図３】
0003642613.tif 000004
【図４】
0003642613.tif 000005
【図５】
0003642613.tif 000006
【図６】
0003642613.tif 000007
【図７】
0003642613.tif 000008
【図８】
0003642613.tif 000009
【図９】
0003642613.tif 000010
【図１０】
0003642613.tif 000011